(57)【要約】【課題】  デザインが施されている布地を使用した装飾体作製方法を提供する。【解決手段】  装飾体作製方法は、デザインが施されている布地１１の表面に、水性エマルジョン形接着剤１４を薄く塗布する表面の接着剤塗布工程と、前記布地１１の表面の水性エマルジョン形接着剤１４を乾燥する表面の接着剤乾燥工程と、前記布地１１の表面に、装飾体用フレーム１２を位置決め載置してから前記装飾体用フレーム１２内へレジン液を充填する表面のレジン充填工程と、前記レジン液をＵＶ硬化する表面のレジン硬化工程と、を備える。【選択図】  図３
2016063916.tif 000002
【特許請求の範囲】
【請求項１】
デザインが施されている布地と、前記布地の表面に位置決め載置した装飾体用フレームと、前記布地の表面に塗布した水性エマルジョン形接着剤と、前記水性エマルジョン形接着剤を塗布した布地の表面および前記装飾体用フレームで囲まれた空間内に充填・硬化したレジンと、を備えたことを特徴とする装飾体。
【請求項２】
水性エマルジョン形接着剤は、酢酸ビニル樹脂エマルジョン形接着剤であることを特徴とする請求項１に記載の装飾体。
【請求項３】
デザインが施されている布地の表面に、水性エマルジョン形接着剤を薄く塗布する表面の接着剤塗布工程と、
前記布地の表面の水性エマルジョン形接着剤を乾燥する表面の接着剤乾燥工程と、
前記布地の表面に、装飾体用フレームを位置決め載置してから前記装飾体用フレーム内へレジン液を充填する表面のレジン充填工程と、
前記レジン液をＵＶ硬化する表面のレジン硬化工程と、
を備えたことを特徴とする装飾体作製方法。
【請求項４】
前記布地を装飾体用フレームに沿って裁断する布地裁断工程と、
前記布地の裏面に、水性エマルジョン形接着剤を薄く塗布する裏面の接着剤塗布工程と、
前記布地の裏面の水性エマルジョン形接着剤を乾燥する裏面の接着剤乾燥工程と、
前記布地の裏面に、レジン液を塗布する裏面のレジン塗布工程と、
前記の裏面側のレジン液をＵＶ硬化する裏面のレジン硬化工程と、
を任意に付加的に実施することを特徴とする請求項３に記載の装飾体作製方法。
【請求項５】
水性エマルジョン形接着剤は、酢酸ビニル樹脂エマルジョン形接着剤であることを特徴とする請求項３又は４に記載の装飾体作製方法。
【発明の詳細な説明】
【技術分野】
【０００１】
本発明は、デザインが施されている布地を使用した装飾体および装飾体作製方法を提供する技術に関する。
【背景技術】
【０００２】
従来から、さまざまな製品や物品の表面にデザインを施して、装飾体が作製されている。装飾体を作製する方法は、装飾する対象となる物品によっていろいろと工夫されており、多岐に亘るものである。
その一例としては、特許文献１に示すように、例えば自動車の内装部品の表面を深みのある木目模様で装飾する装飾体がある。複数の着色樹脂材を成形機内で明暗が生じるように混練して混合樹脂材を得る。その混合樹脂材をキャビティに射出して、不規則な明暗模様が長手方向に流れるように形成された基材を得る。基材の表面に木目模様を形成する塗料を水圧転写して基材の明暗模様を透過する樹脂膜層を形成する。前記の樹脂膜層の表面に透明塗料を塗布して塗膜層を形成する。
【０００３】
また、他の例としては、特許文献２に示すように、樹脂と光触媒と発色剤とを含み、乾燥または焼結によって発色剤を発色させた表面処理剤を得る。前記表面処理剤は、紫外線を照射することで発色が退色し、ほぼ透明または無色透明に変化する。そこで、基材の表面に前記表面処理剤を塗布し、紫外線照射にて前記表面処理剤の発色を退色させることによって基材の地色または装飾した表面色を呈する。その結果、基材は、表面処理剤の光触媒作用によって防汚効果が得られる。
【先行技術文献】
【特許文献】
【０００４】
【特許文献１】特開２００６−２２４６１３号公報
【特許文献２】特開２００５−２３１５５号公報
【発明の概要】
【発明が解決しようとする課題】
【０００５】
装飾体の中には、例えば、ネックレス、イヤリング、ピアス、ブローチ、ペンダントなどのアクセサリのように、所謂、身体や衣服に着ける装飾品がある。この場合の装飾体作製方法も多岐に亘るものである。その中で、デザインを有する布地を使用して装飾体を作製する場合がある。例えば、レジン液をフレームの中に充填してブローチを製作するとき、デザインが施されている布地の表面が、フレームの底面に位置するように配置する。その後、レジン液をフレームの中に充填すると、レジン液が布地に染み込んでデザインを損なってしまうために、製品にはならないものであった。
この場合、前述の特許文献１の方法はまったく適応できない。特許文献２の方法は、表面処理剤の光触媒作用によって基材に対する防汚効果があるので、デザインは損なわれない。しかし、表面処理剤の製造自体が複数の工程を経て得られるものであって簡単ではない。それに伴って高価となる。従来、簡単な方法でデザイン性を損なうことなく、布地を使用した装飾体および装飾体作製方法が見当たらなかった。
【０００６】
本発明はこのような事情に鑑みてなされたものであって、表面にデザインが施されている布地を利用して製作される装飾体および装飾体作製方法を提供することを目的とする。
【課題を解決するための手段】
【０００７】
請求項１記載の発明は、デザインが施されている布地と、前記布地の表面に位置決め載置した装飾体用フレームと、前記布地の表面に塗布した水性エマルジョン形接着剤と、前記水性エマルジョン形接着剤を塗布した布地の表面および前記装飾体用フレームで囲まれた空間内に充填・硬化したレジンと、を備えたことを特徴としている。
【０００８】
請求項２記載の発明は、上記１項において、水性エマルジョン形接着剤は、酢酸ビニル樹脂エマルジョン形接着剤であることを特徴としている。
【０００９】
請求項３記載の発明は、デザインが施されている布地の表面に、水性エマルジョン形接着剤を薄く塗布する表面の接着剤塗布工程と、前記布地の表面の水性エマルジョン形接着剤を乾燥する表面の接着剤乾燥工程と、前記布地の表面に、装飾体用フレームを位置決め載置してから前記装飾体用フレーム内へレジン液を充填する表面のレジン充填工程と、前記レジン液をＵＶ硬化する表面のレジン硬化工程と、を備えたことを特徴としている。
【００１０】
請求項４記載の発明は、上記３項において、前記布地を装飾体用フレームに沿って裁断する布地裁断工程と、前記布地の裏面に、水性エマルジョン形接着剤を薄く塗布する裏面の接着剤塗布工程と、前記布地の裏面の水性エマルジョン形接着剤を乾燥する裏面の接着剤乾燥工程と、前記布地の裏面に、レジン液を塗布する裏面のレジン塗布工程と、前記の裏面側のレジン液をＵＶ硬化する裏面のレジン硬化工程と、を任意に付加的に実施することを特徴としている。
【００１１】
請求項５記載の発明は、上記３項又は４項において、水性エマルジョン形接着剤は、酢酸ビニル樹脂エマルジョン形接着剤であることを特徴としている。
【発明の効果】
【００１２】
本発明の装飾体によれば、布地にできるだけ薄く塗布して乾燥した水性エマルジョン形接着剤を設けたことで、その表面にレジン液を塗布してもレジン液が布地にしみ込んでデザイン性を損なうことがない。また、酢酸ビニル樹脂エマルジョン形接着剤は、一般的な水性エマルジョン形接着剤であるので容易に利用できる。
【００１３】
本発明の装飾体作製方法によれば、水性エマルジョン形接着剤を布地にできるだけ薄く塗布して乾燥することで、その表面にレジン液を塗布してもレジン液が布地にしみ込んでデザイン性を損なうことがない。したがって、デザインが施されている布地を、簡単な仕方で装飾体における装飾部材として用いることができた。しかも、さまざまなデザインをプリントした薄い布地は、多く流通しているので、装飾部材としての選択肢が豊富になる。
【図面の簡単な説明】
【００１４】
【図１】本発明に係る装飾体の一つの実施形態を示し、イヤリングの全体的な斜視図である。
【図２】図１のイヤリングの分解斜視図である。
【図３】（ａ）〜（ｅ）は、本発明に係る装飾体作製方法の各工程を示す断面図である。
【図４】図３に続くもので、（ａ）〜（ｄ）は、本発明に係る装飾体作製方法の各工程を示す断面図である。
【発明を実施するための形態】
【００１５】
以下、本発明の実施形態に係る装飾体について図面を参照して説明する。図１は、本発明の装飾体の一つの実施形態として示したイヤリングである。図２は、図１のイヤリングの構造を分解したものである。
【００１６】
本実施形態の装飾体１０の一例としてイヤリングを用いて説明する。なお、装飾体１０としては、例えば、ネックレス、イヤリング、ピアス、ブローチ、ペンダントなどのアクセサリのように身体や衣服に着ける装飾品がある。
イヤリング１０は、図２に示すように、デザインが施されている布地１１と、装飾体用フレーム１２と、レジン１３と、水性エマルジョン形接着剤１４と、を備えている。
【００１７】
布地１１は、装飾用となる美しい花柄などのデザインが施されている。デザインとしては、花柄だけではなく、犬や猫、その他の動物、あるいは抽象的な絵柄などが用いられるが、特に限定されない。
【００１８】
装飾体用フレーム１２は、美しいリング状の金属ワイヤを用いているが、この限りではない。装飾体用フレーム１２は、前記布地１１の表面に位置決めして載置している。
【００１９】
水性エマルジョン形接着剤１４は、本実施形態では、酢酸ビニル樹脂エマルジョン形接着剤を使用している。この酢酸ビニル樹脂エマルジョン形接着剤１４を、前記布地１１の表面に、できるだけ薄く塗布してから乾燥している。
【００２０】
レジン１３は、水性エマルジョン形接着剤１４を塗布した布地１１の表面および装飾体用フレーム１２で囲まれた空間内に、レジン液を充填し、ＵＶ硬化したものである。本実施形態で使用するレジン液は、紫外線に反応して硬化するＵＶレジン液である。レジン１３には主剤と硬化剤を混ぜて固める２液タイプがあるが、ＵＶレジン液は１液タイプである。
【００２１】
また、イヤリング１０の場合は、前記布地１１の裏面に装飾体保持具１５を固定している。装飾体保持具１５は、図２に示すように、耳たぶに取り付ける取付部１５ｃを備えたチェーン１５ｂである。チェーン１５ｂは基部１５ａに固定している。前記の基部１５ａが布地１１の裏面に、例えば接着剤にて固定される。本実施形態では、前記布地１１の裏面に、水性エマルジョン形接着剤１４を薄く塗布し、乾燥してから、レジン液を塗布する。その際に、チェーン１５ｂの基部１５ａを布地１１の裏面に位置決めし、前記基部１５ａにもレジン液を塗布し、ＵＶ硬化することで固定している。
なお、装飾体保持具１５は、本実施形態では、布地１１の裏面に固定しているが、これに限定されない。例えば、予め、装飾体用フレーム１２に一体的に連結してもよい。連結方法は、接着剤を使用することに限らず、ろう付けなどの他の連結方法でもよい。
【００２２】
一般的に、デザインが施されている布地１１にレジン液を塗布すると、レジン液が布地１１にしみ込んでデザイン性が損なわれるために、製品にならない。しかし、発明者は、水性エマルジョン形接着剤１４を布地１１にできるだけ薄く塗布して乾燥することで、その表面にレジン液を塗布しても何ら問題が生じないことを付きとめた。なお、水性エマルジョン形接着剤１４には、一般的に使用されている“木工ボンド”（商品名）がある。木工ボンドの中でも、特に一般的なのは、酢酸ビニル樹脂エマルジョン形接着剤であり、安価で利用しやすいものである。
【００２３】
以上のように、デザインが施されている布地１１を、簡単な仕方で装飾体１０における装飾部材として用いることができる。しかも、さまざまなデザインをプリントした薄い布地１１は、多く流通しているので、装飾部材としての選択肢が豊富になる。
また、本実施形態ではイヤリング１０を装飾体の一例として説明したが、他の様々な装飾体においても同様の構造とすることができる。
【００２４】
次に、本発明の実施形態に係る装飾体作製方法について図面を参照して説明する。図３及び図４は、本発明の装飾体作製方法の一つの実施形態を示し、前述のイヤリング１０の作製の各工程を示すものである。
【００２５】
本実施形態の装飾体作製方法は、基本的には、表面の接着剤塗布工程と、表面の接着剤乾燥工程と、表面のレジン充填工程と、表面のレジン硬化工程とを備えるものである。それに付加的な工程として、布地裁断工程、裏面の接着剤塗布工程、裏面の接着剤乾燥工程を実施することができる。
【００２６】
まず、表面の接着剤塗布工程は、図３（ａ）に示すように、デザインが施されている布地１１の表面に、水性エマルジョン形接着剤１４を薄く塗布する。水性エマルジョン形接着剤１４は、本実施形態では、酢酸ビニル樹脂エマルジョン形接着剤を使用している。この酢酸ビニル樹脂エマルジョン形接着剤１４を、布地１１の表面にできるだけ薄く塗布する。この接着剤は“白色”であるが、この白色が無くなるようにできるだけ薄く塗布することが望ましい。この接着剤を塗る目的が後述の工程でレジン液が布地１１にしみ込まないようにすることだからである。
【００２７】
表面の接着剤乾燥工程は、図３（ｂ）に示すように、布地１１の表面の水性エマルジョン形接着剤１４を乾燥する。乾燥方法は、自然乾燥でもよいが、ヘヤドライヤなどを使用して満遍なく強制的に乾燥することができる。
【００２８】
裏面の接着剤塗布工程は、図３（ｃ）に示すように、前記布地１１の裏面に、水性エマルジョン形接着剤１４を薄く塗布する。前述の表面の接着剤塗布工程と同様である。
【００２９】
裏面の接着剤乾燥工程は、図３（ｄ）に示すように、布地１１の裏面の水性エマルジョン形接着剤１４を乾燥する。乾燥方法は、前述の表面の接着剤乾燥工程と同様である。
【００３０】
表面のレジン充填工程は、図３（ｅ）に示すように、まず、装飾体用フレーム１２を布地１１の表面で位置決めして載置する。したがって、装飾体用フレーム１２の中に表わすデザインは、この時点で決められることになる。イヤリング１０の場合は、左耳用と右耳用が互いに異なったデザインとなる場合があるが、それも面白い趣向となる。もちろん、同じデザインとすることもできる。
上記のように、レジン液は、水性エマルジョン形接着剤１４を塗布した布地１１の表面と、布地１１の表面に載置した装飾体用フレーム１２と、で囲まれた空間内に充填する。レジン液については前述の通りであり、本実施形態では、ＵＶレジン液を用いている。
【００３１】
表面のレジン硬化工程は、図４（ａ）に示すように、ＵＶライト２１などの紫外線照射器を使用して表面のレジン液をＵＶ硬化する。ＵＶレジン液は、太陽光に当てても約３０分〜１時間ほどで硬化するが、紫外線照射器を使用することで、短時間で硬化することができる。
【００３２】
布地裁断工程は、図４（ｂ）に示すように、例えばハサミやカッタナイフなどの切断用工具を用いて、布地１１を装飾体用フレーム１２に沿って裁断する。本実施形態では、表面のレジン硬化工程の後に実施しているが、これに限定されず、どの時点で実施してもよい。
【００３３】
裏面のレジン塗布工程は、図４（ｃ）に示すように、布地１１の裏面に、レジン液を塗布する。レジン液については前述の通りであり、本実施形態では、ＵＶレジン液を用いている。
この時、布地１１の裏面に装飾体保持具１５を固定することができる。本実施形態におけるイヤリング１０の装飾体保持具１５は、前述の通りである。すなわち、耳たぶに取り付ける取付部１５ｃを備えたチェーン１５ｂであり、前記チェーン１５ｂの他端は基部１５ａに固定している。本実施形態では、基部１５ａを布地１１の裏面に位置決めし、基部１５ａにもレジン液を塗布し、後述のＵＶランプにてＵＶ硬化することで固定する。
【００３４】
裏面のレジン硬化工程は、図４（ｄ）に示すように、ＵＶライト２１などの紫外線照射器を使用して裏面側のレジン液をＵＶ硬化する。ＵＶ硬化については、前述の通りである。
【００３５】
以上のように、水性エマルジョン形接着剤１４を布地１１にできるだけ薄く塗布して乾燥することで、その表面にレジン液を塗布してもレジン液が布地１１にしみ込んでデザインを損なうことがない。したがって、デザインが施されている布地１１を、簡単な仕方で装飾体１０における装飾部材として用いることができた。しかも、さまざまな絵柄などのデザインをプリントした薄い布地１１は、多く流通しているので、装飾部材としての選択肢が豊富になる。本実施形態では、イヤリング１０を一例として身体や衣服に着ける装飾体１０について説明したが、壁掛けなどの室内装飾品、あるいは他の幅広い分野の装飾体１０として適用することができる。
【産業上の利用可能性】
【００３６】
本発明は、アクセサリなどの装飾体の製造や販売、室内装飾などの装飾体の製造や販売、建築業など、その他の幅広い分野において、利用可能性を有する。
【符号の説明】
【００３７】
１０  イヤリング（装飾体）
１１  布地
１２  装飾体用フレーム
１３  レジン
１４  酢酸ビニル樹脂エマルジョン形接着剤（水性エマルジョン形接着剤）
１５  装飾体保持具
１５ａ  基部
１５ｂ  チェーン
１５ｃ  取付部
２１  ＵＶライト
【図１】
2016063916.tif 000003
【図２】
2016063916.tif 000004
【図３】
2016063916.tif 000005
【図４】
2016063916.tif 000006